(57)【特許請求の範囲】
【請求項１】
壁面に取り付けられるベースと、ベビーシートを備えたベッドと、サイドガードと、ヘッドガードと、を備え、
前記ベッドは前記ベビーシートの長手方向に沿った前記ベッドの一方の側縁を前記ベースに枢支され、
前記サイドガードは前記ベビーシートの長手方向に沿った前記ベッドの他方の側縁に枢支され、
前記ヘッドガードは前記ベースの所定の位置と前記サイドガードの所定の位置に２点で支持され、
前記ベビーシートは前記長手方向の一端から他端にかけて傾斜を有して形成され、
前記サイドガードおよび前記ヘッドガードを前記ベッドの開閉に連動させて移動させるようにしたことを特徴とする乳幼児用ベッド。
【請求項２】
前記ベッドは、ベッド本体カバーと、該ベッド本体カバーの基枠となるシートフレームと、をさらに備え、
前記ベビーシートは該ベッド本体カバー上面に設けられることを特徴とする、請求項１に記載の乳幼児用ベッド。
【請求項３】
前記シートフレームは、一端に前記ベースに枢支される軸を有し、他端に前記サイドガードの軸を枢支する軸受を有することを特徴とする、請求項２に記載の乳幼児用ベッド。
【請求項４】
前記ヘッドガードは、前記ベースに枢支される軸の軸方向に対して垂直方向に所定の距離を有する位置で支持されていることを特徴とする、請求項１から３のいずれか１項に記載の乳幼児用ベッド。
【請求項５】
前記ベビーシートは、すり鉢状に湾曲した窪みが形成され、この窪みが形成された面で前記長手方向の一端または他端の少なくとも一方に開口部を設けたことを特徴とする、請求項３に記載の乳幼児用ベッド。
【請求項６】
前記ベビーシートは、前記開口部が設けられた前記一端または他端に所定長さの突起が設けられていることを特徴とする、請求項５に記載の乳幼児用ベッド。
【請求項７】
前記ベビーシートは、乳幼児の腰がくる位置に所定の膨らみを設けたことを特徴とする、請求項３，５または６に記載の乳幼児用ベッド。
【請求項８】
前記ベビーシートは、前記窪みが形成された面に方向性を限定する絵が描かれていることを特徴とする、請求項５又は６に記載の乳幼児用ベッド。
【発明の詳細な説明】
【０００１】
【発明の属する技術分野】
本発明は乳幼児用ベッドに関し、特に、乳幼児をベッドに寝かせておむつ交換を行う場合に、蹴上がり、寝返り等によりベッドから乳幼児の身体をはみ出させないようにして安全性を向上させることができる乳幼児用ベッドに関する。
【０００２】
【従来の技術】
従来のおむつ交換用の乳幼児用ベッドとして、例えば、特開平７−２５０７４３号公報に示すものがある。
この乳幼児用ベッドは、基枠と、基端部を基枠に起伏可能に取り付けるベッドと、基枠とベッドとを起伏可能に枢着するバランス蝶番とで構成されている。このバランス蝶番は、下面を開口した断面倒コ字状に形成した枠体の内側基端部に起伏調整用カムを起伏可能に枢着され、起伏調整用カムの先端に接する位置に、起伏調整用カムの起伏に応じて前後に摺動するスライダーを摺動可能に配置し、スライダーの後方には起伏調整用カムに常時圧接させるスプリングを配置した構成となっており、起伏調整用カムの後端部が、基枠の下面に固定し、バランス蝶番の枠体がベッドの基端部に固定されている。
【０００３】
このベッドには、合成樹脂等の硬質材で成形したベッド本体の上面にウレタンフォーム等の緩衝材を充填発泡させたベビーシートが取り付けられており、このベビーシートは、中央部よりも両側縁部が高くなるように湾曲して形成されており、また、このベビーシートの中央には、ベビーシートを横切るようにして、幼児の転落を防止する拘束用ベルトが伸縮自在に取り付けられている。
【０００４】
この乳幼児用ベッドによれば、基枠とベッドとをバランス蝶番を介して起伏可能に枢支し、しかもバランス蝶番は前半部をベッド本体の基端部に窪ませて形成した取り付け部に取り付け、後半部を基枠の下面に形成した腕板に取り付ける構造としたので全体構造を極めてコンパクトなものとすることができ、狭い設置スペースしか持たない化粧室等にも容易に設置することができる。また、このベビーシートは、乳幼児を寝かせた状態で中央部よりも両側縁部が高くなるように湾曲して形成されているため、乳幼児を安定してベッドに寝かせおむつ交換を行うことができる。
【０００５】
【発明が解決しようとする課題】
しかしながら、上述した従来の乳幼児用ベッドによると、以下のような問題があった。即ち、ベッドに取り付けられたベビーシートは、乳幼児を寝かせた状態での両側縁部が高くなるように湾曲して形成されているものの、頭部側が開口状態となっており、また、両側縁部の湾曲も充分な高さを有していないので、拘束用ベルトで乳幼児を拘束しても、乳幼児が蹴上がりによって頭部側に動いた場合、あるいは、寝返りによって基枠側ではない側縁部に動いた場合、乳幼児の身体がベッドからはみ出る恐れがあった。これを防止するためには、頭部側および基枠側ではない側縁部に充分な高さを持ったガードを設ければ良い。しかし、その場合、ベッドを壁面に収納したときにその厚みが厚くなってしまい、例えば、狭い空間に設けた場合には圧迫感を感じるという問題を新たに生じてしまう。
【０００６】
従って、本発明の目的は、乳幼児をベッドに寝かせておむつ交換を行う場合に、蹴上がり、寝返り等によってもベッドから乳幼児の身体をはみ出させないようにして安全性を向上させ得る乳幼児用ベッドを提供することにある。
【０００７】
【課題を解決するための手段】
本発明は、上記の目的を達成するため、壁面に取り付けられるベースとベビーシートを備えたベッドとサイドガードとヘッドガードとを備え、ベッドはベビーシートの長手方向に沿ったベッドの一方の側縁をベースに枢支され、サイドガードはベビーシートの長手方向に沿ったベッドの他方の側縁に枢支され、ヘッドガードはベースの所定の位置とサイドガードの所定の位置に２点で支持され、ベビーシートは長手方向の一端から他端にかけて傾斜を有して形成され、サイドガードおよびヘッドガードをベッドの開閉に連動させて移動させるようにしたことを特徴とする乳幼児用ベッドを提供するものである。
【０００８】
以上の構成において、前記ベッドは、ベッド本体カバーと、このベッド本体カバーの基枠となるシートフレームと、ベッド本体カバー上面に設けられるベビーシートと、を有することが望ましい。
【０００９】
前記シートフレームは、一端に前記ベースに枢支される軸を有し、他端に前記サイドガードの軸を枢支する軸受を有することが望ましい。
【００１０】
前記ヘッドガードは、前記ベースに枢支される軸の軸方向に対して垂直方向に所定の距離を有する位置で支持されていることが望ましい。
【００１１】
また、前記ベビーシートは、すり鉢状に湾曲した窪みが形成され、この窪みが形成された面の長手方向の一端または他端の少なくとも一方に開口部を設けることが望ましく、開口部が設けられた前記一端または他端には、好ましくは所定長さの突起が設けられ、乳幼児の腰がくる位置に所定の膨らみを設けて形成され、前記窪みが形成された面に方向性を限定する絵が描かれていることが望ましい。
【００１２】
上記の構成によれば、ベッドを回転させると、ヘッドガードは、ベースに設けられたヘッドガード固定金具およびサイドガードの２点間の距離を維持しながら方向に回転する。ヘッドガードの一方の回転の中心点がベッドの軸の回転の中心点と異なるため、サイドガードがこの２点間の距離を維持するために壁面側に引き寄せられ、ベッドが水平状態になったときはサイドガードは略起立した状態となりベッドの底部から頂部までの高さよりも高いガードを形成する。一方、ヘッドガードもベッドの回転に伴って回転するが、その回転の中心点がベッドの軸より上部にあり、また、ヘッドガード自体が所定の幅を有しているので、ベッドが水平状態になったときヘッドガードはベッドの底部から頂部までの高さよりも高いガードを頭部側で形成する。
【００１３】
【発明の実施の形態】
以下、添付図面を参照しながら、本発明の実施の形態を詳細に説明する。
図１および図２は本実施の形態による乳幼児用ベッドの構造を示す図であり、図１はこの乳幼児用ベッドを開状態にした図、図２は閉状態にした図である。これらの図に示すように、この乳幼児用ベッドは、化粧室あるいは休憩室等の壁面１に固定して使用されるものであり、壁面１に固定されるベース１０と、ベース１０に基端部が枢支されるベッド本体２０と、ベッド本体２０に乳幼児を寝かせたときにその頭部側をガードするヘッドガード３０と、ベッド本体２０に乳幼児を寝かせたときにその壁面１と反対側の側部側をガードするサイドガード４０と、から概略構成されている。
【００１４】
以上の構成において、ベース１０には、ベースフレーム１００が設けられており、このベースフレーム１００においてベッド２０本体を枢支している。ベッド本体２０は、合成樹脂等の硬質材で成形される本体カバー２１と、その上面に取り付けられるウレタンフォーム等の緩衝材を充填発泡させたベビーシート２３と、ベッド本体２０の基枠としてのシートフレーム２２とからなる。このシートフレーム２２は鋼材で成形されており、そのベースフレーム１００側には軸２４が設けられている。この軸２４は、後述するベースフレーム１００の軸受部１３０Ａ，１３０Ｂ，１３０Ｃ，１３０Ｄに挿通されベースフレーム１００によって軸支される。なお、ベースフレーム１００には、軸２４を中心にベッド本体２０を図中Ａ方向あるいはＢ方向に回転させて起伏させたとき、ベッド本体２０を伏状態（開状態）で係止させる係止片１１０と、その起伏の動作に伴ってベッド本体２０に生じる機械的な衝撃を緩和させるダンパー１２０と、軸２４にその一端が取り付けられてベッド本体２０に押戻力を与えるスパイラル状のバネ１４０（図３参照）が設けられている。
【００１５】
図３は、ベースフレーム１００とシートフレーム２２とサイドガード４０の基枠としてサイドフレーム４００の分解構造図である。
図に示すように、ベースフレーム１００には、軸受部１３０Ａ，１３０Ｂ，１３０Ｃ，１３０Ｄが設けられており、この軸受部１３０Ａ，１３０Ｂ，１３０Ｃ，１３０Ｄにシートフレーム２２の軸２４が挿通され、シートフレーム２２を軸支する。この軸２４は、図４（ａ）に示すように、ブラケット１５０と軸押え具１５１とボルト１５２とによって水平方向への移動が妨げられるようになっている。また、軸２４の一端２４Ａがはみ出す軸受部１３０Ａの外側には前述したダンパー１２０がねじ１２０Ａ，１２０Ｂで固定されており、はみ出た軸２４の一端２４Ａがこのダンパー１２０に枢着される。一方、軸２４の他端２４Ｂがはみ出す軸受部１３０Ｄの外側には、スパイラル状のバネ１４０が取り付けられ、図４（ｂ）に示すように、ナット１６０Ａ，１６０Ｂで締結される。なお、この軸受部１３０Ｄの外側にはバネ１４０の鉤状の一端１４１を係止させるための突起１３１が設けられている。また、この軸２４の他端２４Ｂには、バネ１４０の他端を嵌挿して係止するための凹溝２４Ｃが設けられている。
【００１６】
シートフレーム２２には、ベースフレーム１００に枢支される側と反対側に、サイドフレーム４００を軸支する軸受部２５，２６が設けられている。サイドフレーム４００には、軸受部２５，２６と同軸の中空円筒４０１，４０２が設けられており、この中空円筒４０１，４０２のピン穴４１７にピン４０３，４０４を挿通し、図４（ｃ）に示すように、あて金具４０５，４０６，４０７，４０８をピン４０３，４０４に挿通し、ピン４０３，４０４に設けられた穴４１３，４１４，４１５，４１６に押え金具４０９，４１０，４１１，４１２を挿通させて軸４０３，４０４を押えている。これにより、サイドフレーム４００はシートフレーム２２に回転可能に軸支される。なお、穴４１８は、後述するヘッドガード３０の穴３５からねじ３７が挿通されるためのねじ穴である。
【００１７】
図５は以上の構成からなる乳幼児用ベッドの分解図である。図に示すように、本体カバー２１は両側縁部が突出して成形されており、一方の突出部２１Ａにはサイドガード４０が回転可能に取り付けられる。他方の突出部２１Ｂは、ベース１０のベースフレーム１００（図示せず）に回転可能に取り付けられる。サイドガード４０には、本体カバー２１の突出部２１Ａに嵌合できるように凹部４１が形成されている。この凹部４１は、ベッド使用者が把持してベッド２０を起伏させるための把持部としても機能する。このために、ここを把持するための把持カバー４２が取り付けられる。
【００１８】
一方、このサイドガード４０およびベース１０には、ヘッドガード３０が取り付けられる。このヘッドガード３０の幅は、ベッド２０の厚さと略等しく、その一端には、ねじ３７をサイドガード４０のねじ穴４４に挿通して枢着するための穴３５が設けられている。図６に示すように、ねじ３７はヘッドガード３０のねじ穴３５とサイドガード４０のねじ穴４４に挿通されナット４１９とねじ穴４１８によって固定される。これにより、ヘッドガード３０がサイドガード４０に対して回転可能に枢支されることになる。一方、ヘッドガード３０の他端には、ヘッドガード固定金具３１の上部に形成されたＵ字状の溝３１Ａに嵌挿されてねじ３２および溶接ナット３２Ａで固定するためのねじ穴３６が設けられている。このヘッドガード固定金具３１とヘッドガード３０のねじ穴３６は、図７に示すように、ヘッドガード固定カバー３３によって塞がれ、このヘッドガード固定カバー３３は、ヘッドガード固定金具３１とともにねじ３８Ａ，３８Ｂ、ナット３９Ａ，３９Ｂでベース１０に取り付けられる。
【００１９】
なお、サイドガード４０のヘッドガード３０が固定されない側にもねじ穴（図示せず）が設けられており、これは、逆方向にヘッドガード３０を取り付けたいときに使用される。使用しないときは、キャップ４３でそのねじ穴（図示せず）を閉塞する。ヘッドガード３０をサイドガード４０に取り付け固定するときは、図に示すようにねじ３７を覆うようにしてねじ穴３５を閉塞する。また、ベース１０のヘッドガード３０が固定されない側の端部には、ベッド使用者の便を図るために、荷物を提げるための荷物用フック１０１がねじ１０１Ａ，１０１Ｂで固定される。なお、この乳幼児用ベッドは、それ自体を単独で使用することができるが、図に示すように、支承脚５０を組み合わせて使用することもできる。この場合、ベース１０の中央部下面に支承脚５０を連結する。
【００２０】
図８は、ベッド２０の分解構造図である。前述したように、ベッド２０は、本体カバー２１と、図示を省略したシートフレーム２２と、本体カバー２１の上面に取り付けられるベビーシート２３とからなる。このベッド２０には、図５において説明したように突出部２１Ａ、２１Ｂ（図８では２１Ａのみ表示している）が成形されているが、このうち、突出部２１Ａには、シートフレーム２２の軸受部２５，２６が来るように配置され、カバー２７によってこの突出部２１Ａを保護するようにしている。なお、突出部２１Ｂ側の図示は省略したが同様に構成される。
【００２１】
ベビーシート２３は、前述したように、ウレタンフォーム等の緩衝材を充填発泡させたものであり、乳幼児を寝かせたときに乳幼児の身体が安定するように、略３分の２の長さで凹部２８が形成されている。この凹部２８は、乳幼児を寝かせたときに乳幼児の頭部が位置する部分が半円形に形成されるとともに、その端部２８Ａにおいて他の箇所よりせり上がって成形されており、乳幼児が頭部方向に蹴上がりした場合でも、この箇所で頭部方向への移動を停止させるようになっている。また、乳幼児を寝かせたときに乳幼児の側部が位置する部分も湾曲をもって形成されており、同様に、乳幼児が寝返り等により側部方向に移動した場合でも、この箇所で側部方向への移動を停止させるようになっている。
【００２２】
一方、乳幼児を寝かせたときに乳幼児の足部が位置する部分には、半円柱状の突起７００が設けられており、乳幼児の左右の足をこの突起７００で左右に分岐可能なようにしている。更に、ベビーシート２３の凹部２８の中央部には乳幼児を寝かせたときに乳幼児を拘束するための拘束ベルト（図示せず）を取り付けるための拘束ベルト取付用穴２９が形成されている。ベビーシート２３をこのように形成することにより、保護者は方向を間違えずに乳幼児を寝かせることができる。また、凹部２８の形成により、乳幼児の移動が制限されるとともに、更に、拘束ベルト（図示せず）によって乳幼児を拘束できるので、乳幼児ベッドに寝かせておむつ交換する際の乳幼児の安全性が向上する。
【００２３】
以下、このように構成される乳幼児用ベッドの起伏動作について、図１〜図８を適宜参照しながら説明する。
まず、図２で示した閉状態でベッド２０が壁面１に収納されているとする。この状態から、サイドガード４０の把持カバー４２が設けられた凹部４１を把持し（図５参照）、図中Ｂ方向にベッド２０を回転させる。図５に示すように、ヘッドガード３０は、ねじ穴３５，３６でそれぞれサイドガード４０およびベース１０のヘッドガード固定金具３１に２点で回転可能に固定されているので、その２点間の距離を維持しながら矢印Ｂ方向に回転する（図１、図２参照）。
【００２４】
これに伴い、ヘッドガード３０も矢印Ｂ方向に回転するが、ヘッドガード３０の一方の回転の中心点がベッド２０の軸２４（図１〜図３参照）の回転の中心点と異なり、ヘッドガード固定金具３１のＵ字溝３１Ａ、即ち、軸２４の回転の中心点より上部にあるため、図１の二点鎖線で示すように、ベッド２０が矢印Ｂ方向に回転するにしたがって、サイドガード４０がこの２点間の距離を維持するために矢印Ａ方向に引き寄せられ、ベッド２０が水平状態になったときはサイドガード４０は略起立した状態となり壁面１とは反対の側でベッド２０の底部から頂部までの高さよりも高いガードを形成する。
【００２５】
一方、ヘッドガード３０もベッド２０の回転に伴って矢印Ｂ方向に回転するが、前述したように、その回転の中心点がベッド２０の軸２４より上部のヘッドガード固定金具３１のＵ字溝３１Ａにあるため、また、ヘッドガード３０自体が所定の幅を有しているので、ベッド２０が水平状態になったときヘッドガード４０はベッド２０の底部から頂部までの高さよりも高いガードを頭部側で形成する。このように、ベッド２０の底部から頂部までの高さよりも高いガードが頭部側および側縁部側で形成されるので、乳幼児が蹴上がりによって頭部側に動いた場合、あるいは、寝返りによって基枠側ではない側縁部に動いた場合でも、乳幼児の身体がベッドからはみ出ることがなくなる。
【００２６】
また、開状態からベッド２０を閉状態にするには、前述と逆の動作を行えばよいが、その際、サイドガード４０は前述の２点間の距離を維持するために矢印Ｂ方向に引き戻され、ベッド２０が垂直状態、即ち、壁面１に格納される状態になったときサイドガード４０は壁面１に対して略平行の状態となり、ベッド２０の厚みと略同じ厚みとなる。また、ヘッドガード３０の幅は、前述したように、ベッド２０の厚さと略等しいため、ベッド２０が壁面１に格納される状態になったときには、その厚みが厚くなってしまうという問題は生じなくなる。
【００２７】
なお、ベース１０のベースフレーム１００に枢支されるベッド２０のシートフレーム２２の軸２４の一端２４Ａにはダンパー１２０が設けられているので、ベッド２０の起伏の動作に伴ってベッド２０に生じる機械的な衝撃を緩和させることができ、また、軸２４の他端２４Ｂの凹溝２４Ｃに設けたスパイラル状のバネ１４０によって、所定の角度、例えば壁面１に対して３０°の角度を境に開方向、閉方向にベッド２０を向かわせることができる。
【００２８】
図９〜図１１は、このように構成される乳幼児用ベッドの使用状態を示す図であり、図９はこの乳幼児用ベッドの閉状態、即ち、壁面（図示せず）に格納した状態を示す図、図１０はこの乳幼児用ベッドを開状態にしたときの図、図１１は実際の使用状態を示す図である。図９および図１１に示すように、この乳幼児用ベッドを壁面に収納した状態でも、ベッド２０の厚みが厚くならないので、化粧室等の狭い空間に設けた場合にでもそれ程空間を占領せず、圧迫感を感じることはない。また、図１０および図１１に示すように、乳幼児Ｘは壁面１、ヘッドガード３０、サイドガード４０の三方でガードされるので、乳幼児Ｘの身体がベッド２０からはみ出るという恐れがなくなる。このため、使用者Ｚは安心しておむつ交換作業を行うことができる。
【００２９】
図１２〜図２０は、本実施の形態による乳幼児用ベッドに用いられるベビーシートの他の例を示す図である。
図１２（ａ）に示したベビーシートは、ベビーシート２３にすり鉢状に湾曲した窪み５００を形成し、乳幼児を寝かせた場合に乳幼児の足部が位置する側に開口部５１０を設け、更に、この窪み５００の部分の長手方向の一端から他端にかけて傾斜５２０を設けるようにしたものである。なお、図１２（ｂ）は、図１２（ａ）のＡ−Ａ線断面図である。ここで、窪み５００を設けたのは、前述した通り、おむつ交換中における乳幼児の寝返り等を防止させるためであり、開口部５１０を設けたのは、乳幼児を寝かせる方向を限定させる、即ち、開口部５１０と反対の方向に乳幼児の頭が来るように限定させるためである。一方、窪み５００の部分に傾斜５２０を設けるようにしたのは、例えば、このような乳幼児ベッドは化粧室やトイレ等公共性のある場所に設置される例が多いが、その中でも、特に、公共性の高いトイレや屋外の独立した建屋で設置されているトイレ等では、清掃時に床や壁等に直接水をかけて清掃する場合がある。このようなところでは、清掃時にベビーシート上に水がかかることがあり、利用者がおむつを交換しようと思っても、ベビーシートが濡れていておむつ交換ができなくなってしまう。このため、窪み５００の部分に傾斜５２０を設けるようにして水はけを良くし、清掃後でも直ちにおむつ交換ができるようにしたものである。また、この傾斜５２０を設けることにより、濡れたまま放置しておくことによる雑菌の繁殖を押えることができる。
【００３０】
図１３（ａ）に示したベビーシートは、更に、乳幼児を寝かせた場合に乳幼児の頭部が位置する側にも開口部５３０を設けたものである。なお、図１３（ｂ）は図１３（ａ）のＢ−Ｂ線断面図である。この場合でも、図１２（ａ），（ｂ）に示したベビーシートと同様な効果を得ることができる。
【００３１】
図１４（ａ），（ｂ）に示したベビーシートは、図１２（ａ）および図１３（ａ）に示したベビーシート２３の開口部５１０側に半楕円形状の突起７１０を設けたものである。このように半楕円形状の突起７１０を設けることにより、図１２（ａ）および図１３（ａ）に示したベビーシート２３より更に乳幼児を寝かせる方向を限定させる効果が得られる。即ち、この突起７１０のある側に乳幼児の足部がくるように乳幼児を寝かせると問題はないが、乳幼児を逆向きにしてここに頭部がくるように寝かせると、頭部の下にこの突起７１０がくるので頭部が安定せず、かえって邪魔になり、乳幼児がむずがるなどおむつ交換作業がしずらくなる。このため、使用者は、必ず突起７１０が設けられた側に乳幼児の足部がくるように寝かせなければならない。従って、誤使用からくる乳幼児の落下等の危険性を防止することができる。加えて、図１２〜図１３の説明で述べた効果も得られる。
【００３２】
図１５に示したベビーシートは、図１４（ａ）に示したベビーシート２３の使用時において乳幼児の腰がくる位置に所定の膨らみ７２０を設けたものである。なお、図１６（ａ）は図１５におけるＣ−Ｃ線断面図、図１６（ｂ）は図１５におけるＤ−Ｄ線断面図である。このように、乳幼児の腰がくる位置に所定の膨らみ７２０を設けることにより、乳幼児が寝返りをしようとしたときにこの膨らみ７２０が乳幼児の腰にあたるため、乳幼児が寝返りしにくくなる。また、これにより、乳幼児の腰が安定し、おむつ交換作業がしやすくなる。加えて、図１２〜図１４の説明で述べた効果も得られる。
【００３３】
図１７に示したベビーシートは、ベビーシート２３に形成する窪み８００を湾曲状にではなく、高低差をつけて形成するとともにベビーシート２３の使用時において乳幼児の腰がくる位置に前述した膨らみ７２０を設けたものである。この場合でも、図１５に示したベビーシートと同様な効果を得ることができる。加えて、図１２〜図１４の説明で述べた効果も得られる。
【００３４】
図１８に示したベビーシートは、ベビーシート２３の乳幼児を寝かせる面に方向性を持たせた絵９００を描いたものである。図では、図１４（ａ）に示したベビーシート２３に絵９００を描いたものを示しているが、図１４（ａ）のベビーシート２３に限定するものではなく、図１２〜図１７に示したいずれのベビーシートであっても良い。もちろん、後述する図１９および図２０に示すベビーシートであっても良い。このように、乳幼児を寝かせる面に絵９００を描くことにより、乳幼児を寝かせる方向を限定させることができる。なお、ここに描かれる絵９００は、子供の絵や動物の絵であってもよい。
【００３５】
図１９に示したベビーシートは、図１７に示したベビーシートのうち、突起７１０を設けず、また、乳幼児の腰がくる位置に設ける膨らみ７２０を、図１７に示したベビーシートと比較してより大きくかつより曲線を持たせるようにしたものである。この場合でも、図１７に示したベビーシートと同様な効果を得ることができる。加えて、図１２〜図１４の説明で述べた効果も得られる。
【００３６】
図２０に示したベビーシートは、図１３（ａ）に示したベビーシートのうち、乳幼児を寝かせた場合に乳幼児の頭部が位置する側に設けられる開口部５３０の幅を図１３（ａ）のベビーシートと比較してより広く形成したものである。この場合でも、図１２および図１３に示したベビーシートと同様な効果も得られる。
【００３７】
以上のように、ベビーシートにすり鉢状に湾曲した窪みを形成し、長手方向の一端または他端に開口部を設け、窪みの部分の長手方向の一端から他端にかけて傾斜を設け、乳幼児を寝かせた場合に乳幼児の足部が位置する側の開口部に半楕円形状の突起を設け、乳幼児を寝かせた場合に乳幼児の腰がくる位置に所定の膨らみを設け、あるいは、乳幼児を寝かせる面に方向性を持たせた絵を描くようにすることにより、乳幼児を安定して間違いなく乳幼児用ベッドに寝かせることができる。また、前述したヘッドガードおよびサイドガードと相俟って、乳幼児を寝かせた場合の乳幼児の安全性を向上させることができる。
【００３８】
なお、以上の実施の形態においては、説明の便宜のため、ベッド上における乳幼児の移動を拘束するための拘束用ベルトを設けた例を示していないが、これを設けてもよいことはいうまでもない。また、本実施の形態では、図２１に示すように、サイドガード４０に設けられた凹部４１の把持カバー４２の部位で手で把持してベッド２０を矢印方向に操作するようにしているが、例えば、図２２に示すように、ベッド２０の本体カバー２１の突出部２１Ａとカバー２７が配置される箇所に凹部４１を設け、把持カバー４２の部位で手で把持して矢印方向に操作するように構成しても良い。
【００３９】
【発明の効果】
以上説明したとおり、本発明の乳幼児用ベッドによると、壁面に取り付けられるベースと、ベースに一方の側縁を枢支されるベッドと、ベッドの他方の側縁に枢支されるサイドガードと、ベースの所定の位置とサイドガードの所定の位置に２点で支持されるヘッドガードとを備え、サイドガードおよびヘッドガードをベッドの開閉に連動させて移動させるようにしたので、乳幼児をベッドに寝かせておむつ交換を行う場合に、蹴上がり、寝返り等によるベッドから乳幼児の身体をはみ出させないようにして安全性を向上させることができる。
【図面の簡単な説明】
【図１】本実施の形態による乳幼児用ベッドの構造を示す図であり、この乳幼児用ベッドを開状態にした側面図である。
【図２】本実施の形態による乳幼児用ベッドの構造を示す図であり、この乳幼児用ベッドを閉状態にした側面図である。
【図３】本実施の形態による乳幼児用ベッドの基枠であるベースフレームとシートフレームとサイドフレームの分解構造図である。
【図４】図３における各部の詳細を示す図である。
【図５】本実施の形態による乳幼児用ベッドの分解斜視図である。
【図６】図５におけるヘッドガードとサイドガードとの接続構造を示す断面図である。
【図７】図５におけるヘッドガードとベースとの接続構造を示す断面図である。
【図８】ベッドの分解構造図である。
【図９】本実施の形態による乳幼児用ベッドの使用状態を示す図であり、この乳幼児用ベッドを閉状態にしたときの斜視図である。
【図１０】本実施の形態による乳幼児用ベッドの使用状態を示す図であり、この乳幼児用ベッドを開状態にしたときの平面図である。
【図１１】本実施の形態による乳幼児用ベッドの実際の使用状態を示す図である。
【図１２】本実施の形態による乳幼児用ベッドに用いられるベビーシートの他の例を示すもので、（ａ）は斜視図、（ｂ）はＡ−Ａ線断面図である。
【図１３】本実施の形態による乳幼児用ベッドに用いられるベビーシートの他の例を示すもので、（ａ）は斜視図、（ｂ）はＢ−Ｂ線断面図である。
【図１４】本実施の形態による乳幼児用ベッドに用いられるベビーシートの他の例を示す斜視図である。
【図１５】本実施の形態による乳幼児用ベッドに用いられるベビーシートの他の例を示す斜視図である。
【図１６】（ａ）は図１２におけるＣ−Ｃ線断面図であり、（ｂ）は図１２におけるＤ−Ｄ線断面図である。
【図１７】本実施の形態による乳幼児用ベッドに用いられるベビーシートの他の例を示す斜視図である。
【図１８】本実施の形態による乳幼児用ベッドに用いられるベビーシートの他の例を示す斜視図である。
【図１９】本実施の形態による乳幼児用ベッドに用いられるベビーシートの他の例を示す斜視図である。
【図２０】本実施の形態による乳幼児用ベッドに用いられるベビーシートの他の例を示す斜視図である。
【図２１】本実施の形態によるベッドの開閉操作の方法を説明するための図である。
【図２２】本実施の形態によるベッドの開閉操作の他の方法を説明するための図である。
【符号の説明】
１      壁面
１０    ベース
２０    ベッド
２０Ａ  突出部
２０Ｂ  突出部
２１    本体カバー
２１Ａ  突出部
２１Ｂ  突出部
２２    シートフレーム
２３    ベビーシート
２４    軸
２４Ａ  一端
２４Ｂ  他端
２４Ｃ  凹溝
２５，２６    軸受部
２７    カバー
２８    凹部
２８Ａ  端部
２９    拘束ベルト取付用穴
３０    ヘッドガード
３１    ヘッドガード固定金具
３１Ａ  溝
３２    ねじ
３３    ヘッドガード固定カバー
３５    穴
３６    ねじ穴
３７    ねじ
３８Ａ，３８Ｂ    ねじ
４０    サイドガード
４１    凹部
４２    把持カバー
４４    ねじ穴
５０    支承脚
１００    ベースフレーム
１０１    荷物用フック
１０１Ａ，１０１Ｂ    ねじ
１１０    係止溝
１２０    ダンパー
１２０Ａ，１２０Ｂ    ねじ
１３０Ａ，１３０Ｂ，１３０Ｃ，１３０Ｄ    軸受部
１３１    突起
１４０    バネ
１５０    ブラケット
１５１    軸押具
１５２    ボルト
１６０Ａ，１６０Ｂ  ナット
４００    サイドフレーム
４０１，４０２    中空円筒
４０５，４０６，４０７，４０８    ナット
４０３，４０４  軸
４０９，４１０，４１１，４１２    押え金具
４１３，４１４，４１５，４１６    穴
４１７    ピン穴
４１８    ねじ穴
４１９    ナット
５００    窪み
５１０    開口部
５２０    傾斜
５３０    開口部
７００    突起
７１０    突起
７２０    膨らみ
８００    窪み
９００    絵
【図１】
0004893979.tif 000002
【図２】
0004893979.tif 000003
【図３】
0004893979.tif 000004
【図４】
0004893979.tif 000005
【図５】
0004893979.tif 000006
【図６】
0004893979.tif 000007
【図７】
0004893979.tif 000008
【図８】
0004893979.tif 000009
【図９】
0004893979.tif 000010
【図１０】
0004893979.tif 000011
【図１１】
0004893979.tif 000012
【図１２】
0004893979.tif 000013
【図１３】
0004893979.tif 000014
【図１４】
0004893979.tif 000015
【図１５】
0004893979.tif 000016
【図１６】
0004893979.tif 000017
【図１７】
0004893979.tif 000018
【図１８】
0004893979.tif 000019
【図１９】
0004893979.tif 000020
【図２０】
0004893979.tif 000021
【図２１】
0004893979.tif 000022
【図２２】
0004893979.tif 000023